(57)【要約】ディジタル記録のレンダリングを認可する方法。トラックの最初のセクション及び最後のセクションが最初に識別される。次いで、前記トラックの最初のセクション及び最後のセクションから電子透かしが復号化される。次いで、前記トラックの最初及び最後のセクションのそれぞれにおける前記電子透かし中に少なくとも１つの予約ビットがマークされているか否かが決定される。そうである場合、前記トラックの最初及び最後のセクションの間に挿入されたセクションのシーケンスＩＤが連続的な順序になっているか否かが決定される。両方の条件が満たされる場合、レンダリングが認可される。
2005508562.tif 000002
【特許請求の範囲】
【請求項１】
（ａ）トラックの最初のセクション及び最後のセクションを識別するステップと、
（ｂ）前記トラックの最初及び最後のセクションから電子透かしを復号化するステップと、
（ｃ）前記トラックの最初及び最後のセクションのそれぞれにおける前記電子透かしにおいて少なくとも１つの予約されたビットがマークされているか否かを決定するステップと、
（ｄ）前記トラックの最初及び最後のセクションの間のセクションにシーケンスＩＤが連続的な順序で挿入されているか否かを決定するステップと、
を有する、ディジタル記録データのレンダリングの認可を決定するための方法。
【請求項２】
前記（ｃ）及び（ｄ）のステップにおける前記決定が共に肯定的である場合、前記トラックのレンダリングの少なくとも予備的な認可を提供する更なるステップを含む、請求項１に記載の方法。
【請求項３】
前記（ｃ）及び（ｄ）のステップにおける前記決定の少なくとも１つが否定的である場合、前記トラックのレンダリングを拒否する更なるステップを含む、請求項２に記載の方法。
【請求項４】
認可された以降のディジタルトラックが、間に挿入される時間ギャップなしにレンダリングされる、請求項２に記載の方法。
【請求項５】
最初のトラックセクション及び最後のトラックセクションを含む、連続的に配置された幾つかのセクションを持つトラックから成るディジタル記録データを生成する装置であって、
前記トラックにおける記録のためのデータストリームを供給し、
電子透かしデータを前記データストリームと混合させるように構成され、前記電子透かしデータは前記トラックセクションのそれぞれにおける位置に対応する少なくとも１つの予約されたビットを持ち、前記予約されたビットは前記最初のトラックセクション及び最後のトラックセクションに対応する電子透かしデータにおいてマークされる装置。
【請求項６】
前記混合された電子透かしデータ及びデータストリームをディジタル形式に変換し、
前記トラックを記録媒体に記録するように更に構成される、請求項５に記載の装置。
【請求項７】
前記トラックを記録媒体に記録するステップは、前記連続的なトラックセクションのそれぞれにシーケンスＩＤを記録するステップを含み、前記シーケンスＩＤは前記トラック中のそれぞれのトラックセクションの連続的な位置を識別する、請求項６に記載の装置。
【請求項８】
前記トラックを記録媒体に記録するステップは、前記連続的なトラックセクションのそれぞれにシーケンスＩＤを記録するステップを含み、前記シーケンスＩＤは、それぞれがトラックセクションから成る多数のトラックの中でそれぞれのトラックセクションの連続的な位置を識別する、請求項６に記載の装置。
【請求項９】
記録された電子透かしを含む少なくとも１つのデータのトラックを持つ記録媒体であって、前記少なくとも１つのデータのトラックは最初のトラックセクション及び最後のトラックセクションを含む幾つかのトラックセクションから成り、前記トラックセクションは前記電子透かし中に予約された少なくとも１つの特殊ビットを持ち、前記特殊ビットは前記最初のトラックセクション及び最後のトラックセクションにおいてマークされる記録媒体。
【請求項１０】
前記トラックの各トラックセクションは、前記トラック中の前記トラックセクションの連続的な位置を識別するシーケンスＩＤデータを含む、請求項９に記載の記録媒体。
【請求項１１】
前記最初のトラックセクションから始まり前記最後のトラックセクションで終わるトラックセクションのシーケンスについての前記シーケンスＩＤは１、２、・・・、ｎであり、ここでｎは前記トラック中のトラックシーケンスの数である、請求項１０に記載の記録媒体。
【請求項１２】
前記トラックの各トラックセクションは、それぞれがトラックセクションから成る多数のトラックの中でそれぞれのトラックセクションの連続的な位置を識別するシーケンスＩＤデータを含む、請求項９に記載の記録媒体。
【請求項１３】
前記最初のトラックセクションから始まり前記最後のトラックセクションで終わるトラックセクションのシーケンスについての前記シーケンスＩＤはｎ、ｎ＋１、・・・、ｎ＋ｍであり、ここでｎは前記最初のトラックセクションについてのシーケンスＩＤであり、ｍは前記トラック中のトラックセクションの数である、請求項１２に記載の記録媒体。
【発明の詳細な説明】
【技術分野】
【０００１】
本発明は主に消費者向け電子機器の分野に関し、より詳細にはコピー保護されたコンテンツマテリアルの保護に関する。
【背景技術】
【０００２】
一般に、光ディスク及び他のディジタル記憶媒体が、その情報の保存及び読み込みの能力のため、世界中で広く利用されている。コンパクトディスク（ＣＤ）のような光ディスクにおいては、ディジタル情報信号は片方の面に記録され、前記記録された情報は前記ディジタル信号をピックアップするためにレーザビームを利用して再生される。
【０００３】
ＣＤに関連する技術は、ディジタルビデオディスク（ＤＶＤ）、ＣＤ−ＲＯＭ（read only memory）、ＭＰ３（Motion Picture Experts Group, Audio Layer 3）等のような多くの規格に準拠する、種々の目的のためのディジタル化されたオーディオ、ビデオ及び英数字情報のような他の領域をカバーするために拡大されてきた（参照は一般にＣＤに対して為されるが、本記載及び本発明はいずれの光ディスクにも一般的に適用されることは理解されたい）。
【０００４】
ＭＰ３に関しては、圧縮されたオーディオファイルを保存及び伝送するためのＭＰ３フォーマットは、オーディオ録音の広範囲の配布を実現可能にした。なぜなら３０又は４０メガバイトの曲のディジタルオーディオ録音データが、３又は４メガバイトのＭＰ３ファイルに圧縮されることができるからである。インターネットへの典型的な５６ｋｂｐｓのダイアルアップ接続を利用すると、該ＭＰ３ファイルは数分でユーザのコンピュータにダウンロードされることができる。従って、認可されていない悪意のある者が、元の適法なＣＤから曲を読み込み、前記曲をＭＰ３フォーマットに符号化し、前記ＭＰ３符号化された曲を広範囲な違法な配布のためにインターネット上に配置し得る。代わりに、認可されていない悪意のある団体は、ＭＰ３符号化された曲をダウンロードするための直接のダイアルインサービスを提供し得る。前記ＭＰ３符号化された曲の不正なコピーは次いでオーディオ再生装置によってレンダリング（render）され、又は例えば復元（decompress）され、従来のＣＤプレイヤにおける再生のために記録可能なＣＤに保存され得る。
【０００５】
セキュア・ディジタル・ミュージック・イニシアティブ（Secure Digital Music Initiative、ＳＤＭＩ）という名の団体は、ディスク偽造防止手法を提供することによるインターネット上の音楽会社の著作権を保護するために、レコード会社によって設立された。ＳＤＭＩはまた、米レコード産業協会（Recording Industry Association of America、ＲＩＡＡ）によって設立されたものでもある。このイニシアティブは、Universal、ＥＭＩ、ソニー及びTime Warnarのような主なレーベルの支援を持つ。
【０００６】
セキュア・ディジタル・ミュージック・イニシアティブ（ＳＤＭＩ）等は、認可されたコンテンツマテリアルを識別するため「ディジタル電子透かし」の利用を提唱している。対照物である紙の透かしにおけるように、ディジタル電子透かしは検出可能となるように、しかし目立たないようにコンテンツマテリアルに埋め込まれる。例えば電子透かしを含むディジタル音楽録音データのオーディオ再生は、電子透かしのない同一の録音の再生から殆ど区別できないものとなる。しかしながら電子透かし検出装置は、電子透かしの存在又は不在に基づきこれら２つの録音データを区別することが可能である。
【０００７】
電子透かしを入れられたマテリアルの正確な再生は、該電子透かしを入れられたマテリアルのコピーにおいて該電子透かしを再生させる。しかしながら、電子透かしを入れられたマテリアルの不正確な又は損失の大きい再生は、該マテリアルの損失の大きなコピーにおいて該電子透かしの再生を提供しない。ＳＤＭＩのものを含む幾つかの保護方式は、適切な電子透かしの存在又は不在に基づき違法なマテリアルから適法なマテリアルを区別するため、損失の大きい再生のこの特性を利用している。ＳＤＭＩのシナリオにおいては、「強固な（robust）」電子透かしと「脆い（fragile）」電子透かしとの、２つのタイプの電子透かしが定義される。強固な電子透かしは、オーディオ録音データのＭＰ３符号化のような、元のコンテンツのかなりの部分を保持するように構成された損失の大きな再生においても残存するように予期されるものである。即ち、前記再生が元の録音データの適度なレンダリングを可能とする十分な情報を維持する場合、前記強固な電子透かしもまた維持される。一方脆い電子透かしは、損失の大きな再生又は他の不正な改竄によって破損させられるように予期されるものである。
【０００８】
ＳＤＭＩ方式においては、強固な電子透かしの存在はコンテンツマテリアルがコピー保護されていることを示し、強固な電子透かしが存在しているときの対応する脆い電子透かしの不在又は破損は、コピー保護されたマテリアルが何らかの方法によって改竄されたことを示す。ＳＤＭＩ準拠の装置は、破損された又は不在の電子透かしと伴う電子透かしの入れられたマテリアルのレンダリングを拒絶するように構成されるが、携帯型プレイヤにおける利用のためのコピー保護されたマテリアルのＳＤＭＩ圧縮のような「ＳＤＭＩ認証された」処理によって前記破損又は不在が正当化された場合を除く。参照及び理解を容易にするため、「レンダリング」という語はここでは、再生、記録、変換、有効化、保存、ロード等のような、コンテンツマテリアルのいずれの処理又は転送をも含む。
【０００９】
ＳＤＭＩ準拠の装置は、検出された強固な及び脆い電子透かしに基づいて、ＣＤのようなディジタル録音データの所有者が、コピーセッション毎に元のＣＤの４度のみのディジタルコピーを作成することを可能とすることが想像された。加えて、ＳＤＭＩ準拠の装置は、強固な電子透かしが存在するときに脆い電子透かしの破損又は不在がある場合には、ＣＤのコピーが再コピーされることを許可しない。更に、元のＣＤ（又はＣＤに含まれる曲）の４度のディジタル録音データが対処された後は、ＳＤＭＩ準拠の装置は、ユーザが約１５秒以下の間、元のＣＤからトラックのセクションをコピーすることを許容する。トラックの１５秒のセクションは、取り込まれ、記録可能なＣＤに記録され、ＭＰ３ファイルの形でインターネットに渡って伝送される等し得る。
【００１０】
しかしながら、記録制限が到達された後にさえもかようなサンプリングセクションが記録されることを許容することにより、４回の曲録音制限を回避する可能性が広げられる。例えば曲は、それぞれが別個の曲又はトラックとして個別に識別されＴＯＣ（Table of Contents）を含む、１５秒のセクションで取り込まれ得る。各セクションは次いで１５秒の「曲」のシーケンスとして取り込まれレンダリングされ、かくして元の曲を継ぎ合わせるであろう。
【発明の開示】
【発明が解決しようとする課題】
【００１１】
別個の「曲」として再変換されたトラックセクションのシーケンスを用いて曲を継ぎ合わせるというシナリオを防ぐため、１つのアプローチは、ＳＤＭＩ準拠の装置が各取り込まれた曲の間に例えば２秒のギャップを挿入することであろう。かくして、元の曲又はトラックが取り込まれた１５秒のセクションから継ぎ合わせられる場合、該曲の１５秒毎に２秒のギャップが出現することになる。このことは曲のかような違法なコピーを効果的に防止する。かようなシステムは米国特許出願シリアル番号09/747,513（整理番号US000401）に記載されている。
【００１２】
２秒のギャップを挿入することは、かような違法な取り込みを防止するための効果的な方法であるが、ユーザが違法なコピーを作成する（例えば４つの許可されたコピーのうちの１つを作成する）場合の一定の例においては、潜在的な欠点が存在する。ＣＤに録音されたライブ演奏のような多くの例において、音楽はあるトラックから次のトラックへ時間のギャップなく継続する。詳細な例として、「Grateful Dead」のライブＣＤにおいて、「China Cat Sunflower」という曲は「I Know You Rider」へ継ぎ目なく移行するが、これらの曲はＣＤにおいては別個のトラックとして識別される。しかしながら、ＣＤの認可された録音を作成しているユーザはこの２つのトラックの間に挿入された２秒のギャップを持つことになる。前記ギャップは従って、ユーザにとってＣＤの認可された録音されたバージョンを変更する。
【００１３】
それ故、一定の回数媒体がコピーされることを防止するために利用され、且つ適法にトラックを録音したユーザに媒体中のギャップを聴かせることを強いらない装置及び方法に対するニーズも存在する。前記装置及び方法は、ＳＤＭＩ等の規格と互換であることも望ましい。例えば、録音の回数超過の防止において利用されることに加え、認可された記録の回数が既に到達された場合であっても、例えば１５秒といった所定の秒数までの前記媒体のセクションが取り込まれ、レンダリングされ及び録音され得ることが望ましい。
【００１４】
それ故本発明の目的は、曲の間に時間ギャップを挿入することのない、ディジタルオーディオ録音の認可されない取り込みを防止するシステムを提供することにある。
【００１５】
本発明の他の目的は、媒体又はトラックの認可されたコピーの回数が到達された場合であっても、およそ例えば１５秒の間トラックのセグメントが取り込まれることを可能とする方法及びシステムを提供することにある。
【００１６】
本発明の更に他の目的は、ＳＤＭＩのプロトコルに準拠して上述のことを実行するシステム及び装置を提供することにある。
【課題を解決するための手段】
【００１７】
上述の目的を達成するため、本発明は請求項１に記載された方法を提供する。予約されたビットが電子透かしに組み込まれ、それにより、前記媒体の各トラック若しくは曲又は他の元の録音データについて、少なくとも１つのかようなビットが前記トラックの最初のセクション及び前記トラックの最後のセクションにおいてマークされる。本発明はまた、かように位置された特殊なビットを含む電子透かしが記録された記録媒体に関する。
【００１８】
本発明はまた、最初に電子透かしを持つトラックの最初及び最後のセクションがどこに配置されているかを決定し、前記トラックから電子透かしを復号化し、各トラックの最初及び最後のセクション中に少なくとも１つの特殊なビットがマークされているか否かを決定し、前記トラック中の挿入されたシーケンスＩＤが前記トラックの最初と最後のセクションの間に適切な順序を持つか否かを決定することにより、媒体若しくは他の元の録音データ、又は媒体のトラック若しくは他の元の録音データに起因するデータを記録又はレンダリングするシステム又は装置に関する。否であれば、記録又はレンダリングは防止される。
【００１９】
前記記録又はレンダリング装置又はシステムは、認可されたコピー又は認可されたコピーのレンダリングを許容し、より小さなセクションを利用して曲を継ぎ合わせることを防ぎ、且つかようにするためにトラックの間に不自然なギャップを挿入をしない。該装置又はシステムは、ＳＤＭＩのプロトコルとも準拠する。トラックがレンダリングされることが認可されている場合、前記トラックの最初及び最後のセクション中に少なくとも１つの特殊なビットが検出され、挿入されたシーケンスＩＤは正しい順序となる。かくしてレンダリングは認可される。
【００２０】
一方、レンダリングが認可されておらず（例えば曲の幾つかのセクション中の脆い電子透かしの破損によって証拠とされるように、制限が超過されている）、且つユーザが「曲」としてマスクされた（即ちそれぞれが関連するＴＯＣを持っている）１５秒のセクションを利用して曲を録音又はレンダリングしようと試みている場合、前記トラック又は曲の最初及び最後のセクション中に少なくとも１つの特殊なビットは見出されない。前記トラックの最初及び最後のセクションの間に挿入された正しいシーケンスＩＤも見出されない。かくして、認可されていないコピーを防止するためにトラックの間に挿入された２秒のギャップに対する必要性はない。なぜなら、録音はいずれかの取り込み又は録音が発生さえする前に拒否されるからである。
【発明を実施するための最良の形態】
【００２１】
本発明の上述の及び他の目的、特徴及び利点は、添付する図と共に為される以下の実施例の詳細な説明に照らしてより明らかとなるであろう。
【００２２】
ここで図を参照する。図においては、幾つかの図を通して同様の参照番号は同等の要素を識別し、一般に知られた要素及び機能は本発明を不明瞭にすることを回避するために省かれる。
【００２３】
図１は、本発明による保護システム１００の例となるブロック図を示す。保護システム１００は、媒体１３０にコンテンツマテリアルを符号化する符号化器１１０と、媒体１３０からコンテンツマテリアルをレンダリングする同時係属中の米国特許出願シリアル番号09/536,944により詳細に議論される復号化器１２０とを有する。
【００２４】
符号化器１１０は、コンテンツ源１０１の音楽データを読み込み器又は選択器１１２に受信する。バインダ１１６は読み込み器から前記コンテンツデータの一部を抽出し、電子透かしを付加する。「電子透かし」という語は、本明細書においては、ＣＤ読み込み器又は光ディスク装置によってレンダリング、保存又は記録されることができる、強固な電子透かし、脆い電子透かし又はいずれかのタイプの電子透かしとして定義される。前記電子透かしは、図２において示されるような復号化可能且つ識別可能なデータ構造を提供するため、前記コンテンツデータ（本例においてはオーディオ信号）と混合される。前記電子透かしデータは、前記コンテンツマテリアルのオーディオ品質に影響を与えないように備えられる。符号化器１１０は、読み込み器１１２からの前記コンテンツマテリアル、並びに前バインダ１１６からの前記コンテンツマテリアル及び電子透かしを媒体１３０に記録する記録器１１４を含む。
【００２５】
図２を参照すると、本発明による、図１の媒体１３０上に記録器１１４によって記録されたもののような、記録されたデータ構造の表現を含むトラックの図が示されている。データは、例えばＣＤに記録された１つの曲を表し得る、トラック２０１の形で保存される。トラック２０１に記録されたデータは、電子透かしデータ２０１ａ及び音楽データ２０１ｂを有する。電子透かしデータ２０１ａと音楽データ２０１ｂとは図２においては別個に示されるが、これらのデータ項目は（例えば図１のバインダ１１６及び記録器１１４によって）混合され、ディジタル形式で前記トラックに共に保存されていることは理解されたい。説明したように、電子透かしデータ２０１ａはオーディオ再生を妨害せず、以下に説明される認証を提供するため（例えば復号化器を介して）前記トラックから抽出され得る。当業者は、前記トラックが以上に列記された情報の他の情報を含んでも良いことを認識する。
【００２６】
説明したように、トラック２０１を構成する電子透かしデータ２０１ａ及び音楽データ２０１ｂは参照番号２０１ａ及び２０１ｂによって別個に示されているが、前記トラック上に混合され共に記録される。トラック２０１の拡大された表現は図２においてトラック２０１ｃとして示される。トラック２０１ｃの表現において示されるように、前記トラックはトラックセクション１、２、・・・、ｎのシーケンスに分割される（これらのトラックセクションも電子透かしデータ２０１ａ及び音楽データ２０１ｂの描写で表される）。
【００２７】
各トラックセクションは、例えば約１５秒といった、特定の時間の長さである。従って、トラックが３分の長さの曲である場合、該トラックは１２個の１５秒のトラックセクションから成る（当業者は、トラックは３分よりも長くても短くても良く、トラックセクションが１５秒よりも長くても短くても良いことは理解するであろう）。多くの各トラックセクション１、２、・・・、ｎは、混合された音楽及び電子透かしデータから成る。しかしながら各セクションは他の制御及び識別データをも含んでも良い。とりわけ、トラック１のｎ個のセクションのそれぞれは、（他のトラック及びトラックセクションと同様に）３つの関連するデータ要素を含む。即ち：（１）ＣＤＩＤ（Compact Disc Identification）即ちＣＤ（若しくはアルバム）又は全ての他の記憶媒体上の全てのセクションについて同一である一意な識別子、（２）トラック番号、及び（３）セクション識別子（シーケンスＩＤ）である。これらのデータフィールドは、以上に引用した同時係属中の出願中により詳しく記載されている。かくして、各トラックセクションについてトラック番号とシーケンスＩＤとの組み合わせは、アルバムにおける全てのセクションを一意に識別する。
【００２８】
トラック２０１ｂの（シーケンスＩＤ１、２、・・・、ｎを持つ）各トラックセクションに符号化された電子透かしは、少なくとも１つの予約された又は特殊なビットを持つ。例えば、各トラックセクションの電子透かしに５０個のデータビットがある場合、８番目のビットが特殊ビット用に予約されても良い。前記特殊ビットは、前記トラックの最初の及び最後の（ｎ番目の）トラックセクションにおいてはマークされ（例えば所定値「１」）、他のトラックセクション２、３、・・・ｎ−１においてはマークされない（例えば所定値「０」）。上述したように、図２のトラックは図１の符号化器１１０のバインダ１１６及び記録器１１４によってフォーマットされ媒体１３０に記録される。勿論、同様な構造の複数のトラックが記録されていても良い。当業者はまた前記トラックが図１に示されたものの他の源によって、ＣＤのような媒体において「焼かれ」、転送され、コピーされ又は配置されても良いことを認識する。加えて当業者は、特殊なビット、シーケンスＩＤ等と共に埋め込まれた電子透かしは、ＣＤＩＤ又はトラック番号のような電子透かしのいずれの部分にあっても良いことを認識する。
【００２９】
再び図１を参照すると、本発明による復号化器１２０は、レンダリング器１２２、及び以上に引用した同時係属中の米国出願において議論される全体チェッカ１２６によって制御されるゲート１２４を有する。レンダリング器１２２は、例えば前記特殊ビットが、以下に説明されるように本発明によって、適切なセクションにおいてマークされているか否か、及び他の認証チェックをチェックするソフトウェアを含む。全体チェッカ１２６は、前記アルバムの他のランダム的なセクションが存在しレンダリングされているトラックと一致するか否かを決定するためにＣＤのセクションをサンプリングし、否ならばレンダリングを拒否しても良い。ゲート１２４は、認可されていれば前記レンダリングされた信号を出力する。
【００３０】
図１のＣＤ読み込み器１３２は、ＳＤＭＩ等のプロトコルの下で認可されたトラックのレンダリングのためのダウンロードを表すため以下の説明において利用される。かくして、ＣＤ読み込み器１３２は、図２に示され上述されたようなトラックセクション１、２、・・・、ｎから成るトラックをＣＤ１３０からダウンロードしても良い。ＣＤ読み込み器１３２は図２に示されたようにフォーマットされた複数のトラックをレンダリングするためにダウンロードしても良い。
【００３１】
認可されていないコピーのための潜在的なシステムの表現において、曲抽出器１４２は媒体１３０から曲を抽出し、インターネットを介した曲の可能な不正なダウンロードの代表的な例となるＣＤ模造器１４４に送信する。ＣＤ模造器１４４は、例えば従来のＣＤ読み込み命令に応じて情報を供給するソフトウェアプログラムを表す。代替として、前記曲抽出器から受信された情報はＣＤ媒体に書き込まれ、従来のＣＤ読み込み器１３２に供給されることができる。
【００３２】
説明の目的のため、曲抽出器１４２はＳＤＭＩ等のプロトコルを回避しようと試みるソフトウェアを含むことが仮定される。例えば曲抽出器１４２は、媒体１３０からダウンロードされたトラックを圧縮された（例えばＭＰ３）ファイルに変換しても良く、このことは脆い電子透かしを破損させる。代替として曲抽出器１４２は、前記プロトコルによって認可されている記録の数（ＳＤＭＩについては４回）を回避するように試みても良い。この場合には、曲抽出器１４２は各トラックの個々のトラックセクションをダウンロードし、関連するＴＯＣにおいて各個々のトラックセクションを別個のトラック又は「曲」としてマスクしても良い。各トラックセクションが１５秒より短い場合、かような取り込みはＳＤＭＩシステムによって認可される。ＣＤ模造器１４４は、別個のトラックとしてマスクされたトラックセクションをレンダリングのために連続的に配置し、かくして１５秒のマスクされたトラック（即ちトラックセクション）の編集物として元のトラックを継ぎ合わせる。
【００３３】
図３を参照すると、かような認可されていないレンダリングを防止する、ソフトウェア又はレンダリング器１２２によって実行される、本発明の実施例を説明するフロー図が示されている。レンダリング器１２２はＣＤ読み込み器１３２又はＣＤ模造器１４４からデータストリームを受信する。ステップ３０１において、図２に示されるような最初の（１番目の）セクション及び最後の（ｎ番目の）セクションが前記データストリームにおいて識別される。例えば読み込み器１３２は、前記ＣＤのＴＯＣ領域において与えられるように媒体１３０のトラックの先頭及び末尾を認識するソフトウェア処理部分を利用し、読み込み器１３２はトラックを選択して該トラックを復号化器１２０にダウンロードする。
【００３４】
前記トラックの最初の（１番目の）セクション及び最後の（ｎ番目の）セクションは、上述したようにセクション１及びセクションｎを識別する、各セクション中に存在するシーケンスＩＤ番号フィールドを利用して識別されても良い。ステップ３０３において、１番目の及びｎ番目のセクションについてのデータが復号化され、電子透かしデータが抽出される。前記トラックの１番目及びｎ番目のセクションのそれぞれの電子透かし中に予約された特殊ビットは、ステップ３０５においてマークがされている（例えば論理レベル「１」を持つ）か否かを確認するために検査される。否である場合、レンダリングは拒否される（ステップ３０７）。
【００３５】
以下に更に説明されるように、前記媒体は、トラックの最初の（１番目の）及び最後の（ｎ番目の）トラック上に少なくとも１つの特殊ビットを持つマークされた強固な又は脆い電子透かしを持たない場合がある。なぜなら（例えば）（曲抽出器１４２及びＣＤ模造器１４４のような）システムは、割り当てられた４回を超えてトラックを再生しようとしてトラックデータを改変しているからである。
【００３６】
ステップ３０９において、前記トラックの最初の（１番目の）及び最後の（ｎ番目の）セクションの間に挿入されたトラックセクション２、３、・・・、ｎ−１のシーケンスＩＤが存在するか否か及び正しい順序にあるか否かが決定される。前記トラックの最初の（１番目の）及び最後の（ｎ番目の）セクションの間に挿入された適切な順序のシーケンスＩＤが見出されない場合、ステップ３０７においてレンダリングは拒否される。前記トラックの最初及び最後のセクションの間に挿入されたシーケンスＩＤが適切な順序であることが決定された場合、ステップ３１１においてレンダリングが認可される。前記トラックがレンダリングを認可された場合、前記トラックは再生され、「焼かれ」、転送される等し得る。
【００３７】
図３の処理は、媒体１３０から供給される以降のトラックに対して、例えばＣＤ全体に対して繰り返されても良い。しかしながら、ＣＤのいずれかのトラックが認可されていない場合、更なるトラックのレンダリングは拒否されても良い。
【００３８】
図１を再び参照すると、ＣＤ読み込み器１３２が図２に示されるようなフォーマットを持つトラックを供給する場合、レンダリング器１２２は前記トラックの最初の及び最後の（ｎ番目の）トラックセクションにおけるマークされた特殊なビットを見出し（図３の決定ブロックにおける「yes」）、トラックセクション２、３、・・・、ｎ−１についてのシーケンスＩＤが適切な順序であることも見出す（決定ブロック３０９における「yes」）。かくして、ステップ３１１においてレンダリングが（少なくとも予備的に）認可される。復号化器１２０は依然レンダリングを拒否しても良いことに留意されたい。例えば、（例えば海賊版であるために、又はＳＤＭＩドメインにおいて４回以上記録されたために）全体チェッカ１２６が電子透かしの一部が破損している又は存在しないことを決定した場合、レンダリングは拒否される。
【００３９】
説明されたように、曲抽出器１４２及びＣＤ模造器１４４は、図３の処理が認可されていないコピーを妨害しようとする試みをどのように回避するかを説明するために利用される。例えばＳＤＭＩドメインにおいては、４回の記録限度が到達された場合、脆い電子透かしが劣化され、前記完全チェッカを通過しない。上述したように、曲抽出器１４２はプロトコルによって認可された記録の回数（ＳＤＭＩについては４回）を回避しようと試みる。この場合、曲抽出器１４２は各トラックの（図２のトラックセクション１、２、・・・ｎのような）個々のトラックセクションをダウンロードし、関連するＴＯＣにおいて各個々のトラックセクションを別個のトラック又は「曲」としてマスクする。各トラックセクションが１５秒より短い場合、かような取り込みはＳＤＭＩ準拠のシステムによって逆に認可される。ＳＤＭＩドメインにおいて１度、ＳＤＭＩ準拠のシステムを含むいずれかの装置が、いずれかの順序で前記トラックを再生する。かくして前記トラックセクションをレンダリングのために別個のトラックとして連続して配置することができ、かくしてかようなトラックセクションの編集物として元のトラックを継ぎ合わせる。
【００４０】
しかしながら、かようなトラックセクションのそれぞれは別個のトラックとしてマークされているため、本発明のレンダリング器１２２は、図３の処理を利用して、前記マスクされたトラックセクションをトラックとして処理する。従って前記レンダリング器は、トラックとしてマスクされた各トラックセクションについて、ステップ３０５において前記「トラック」（即ちマスクされたトラックセクション）の最初の及びｎ番目のトラックセクションにおいてマークされた特殊ビットを見出そうと試みる。最初のトラックセクションについては、前記レンダリング器はステップ３０５において特殊ビットを見出すであろう。一般に、前記レンダリング器は単一のトラックセクションを持つ曲を許容し、ステップ３０５及び３０９の特殊な場合として該曲中に１つのビットのみがレンダリングされることを許容する。なぜなら（１５秒以下の）非常に短い曲の例があり得るからである。かくして前記最初のトラックセクションはステップ３０５を通過する。しかしながら、別個のトラックとして提示された前記最初のトラックセクションの後の（且つｎ番目のトラックセクションの前の）トラックセクションは、ステップ３０５において失敗する。なぜなら、これらのトラックセクションはマークされた特殊ビットを持たないからである。ｎ番目のセクションは、最初のセクションと同様に、一般にステップ３０５を通過する。
【００４１】
かくして、別個のトラックとしてマスクされたとき、トラックセクション２、３、・・・、ｎ−１はレンダリングが拒否される前にステップ３０５を超えて進まないため、個々のトラックセクションをマスキングすることによるトラックの認可されていない取り込みは防止される。たかだか、最初及び最後のトラックセクション（即ち、曲の最初と最後の１５秒）がレンダリングされるのみである。全ての意図及び目的に対して、かような継ぎ合わされた「曲」は価値がない。この手法を利用することにより、上述したように元の曲の認可されたレンダリング及び記録の間に時折望ましくないギャップを挿入し得る、取り込まれたトラックの間に時間ギャップを挿入することの必要はない。
【００４２】
以上の議論において、焦点を当てられるトラックのシーケンスＩＤは１、２、・・・、ｎと番号を付されたことに留意されたい。ＣＤのような媒体が多くのトラックを含む場合、前記シーケンスＩＤは、最初のトラックの最初のトラックセクションから、最後のトラックの最後のトラックセクションまで順に増加しても良い。従って例えば、前記最初のトラックは１、２、・・・、ｎというシーケンスＩＤを持ち得る。この場合、２番目のトラックはｎ＋１、ｎ＋２、・・・、ｎ＋ｍというシーケンスＩＤを持ち、ここでｍは前記２番目のトラックのトラックセクションの数である。同様に３番目のトラックはｎ＋ｍ＋１から始まるシーケンスＩＤを持つ等する。
【００４３】
本発明の実例となる実施例が添付する図を参照しながらここに説明されたが、本発明はまさにこれらの実施例に限定されるものではないことは理解されるべきである。例えば図２のデータ形式及び図３の処理は、前記特殊ビットがトラックの最初のトラックセクション（即ち図２の参照番号２０１ｃのトラックセクション）においてのみマークされるように変更されても良い。図３のステップ３０５において、前記処理は前記最初のトラックセクションにおいてマークされた特殊ビットのみを探す。かような形式は上述した実施例よりも攻撃を受け易いが、それでもなお多くのタイプの認可されていない取り込みに対して適切な保護を供給し得る。代わりに例えば、前記トラックの最初及び最後のセクションの両方が特殊ビットを利用する場合、１より多いビットを利用することは、レンダリングに対する制御を改善し、かくして認可されていないコピーに対する攻撃の受け易さを減少させ得る。例えば、トラックの最初のセクションは２つの特殊ビットを用いてマークされ、一方で最後のセクションは１つの特殊ビットを用いてマークされても良い。このとき前記システムは、認可されていないコピーにおける試みの識別において、どのセクションが最初のセクションであったか、及びどれが最後のセクションであるかを識別するための付加的なデータを持つことになる。かくして、本発明の範囲は単に添付される請求項の範囲によって定義されることが意図されている。
【図面の簡単な説明】
【００４４】
【図１】本発明の一実施例によるシステムのブロック図を示す。
【図２】本発明の一実施例によるオーディオ録音のデータ部を示す。
【図３】本発明の一実施例によるオーディオ録音を保護する処理のフロー図を示す。
【国際公開パンフレット】
2005508562.tif 000003
2005508562.tif 000004
2005508562.tif 000005
2005508562.tif 000006
2005508562.tif 000007
2005508562.tif 000008
2005508562.tif 000009
2005508562.tif 000010
2005508562.tif 000011
2005508562.tif 000012
2005508562.tif 000013
2005508562.tif 000014
2005508562.tif 000015
2005508562.tif 000016
2005508562.tif 000017
2005508562.tif 000018
【国際公開パンフレット（コレクトバージョン）】
2005508562.tif 000019
【国際調査報告】
2005508562.tif 000020
2005508562.tif 000021
2005508562.tif 000022